【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
被検者の一部分を撮像するための磁気共鳴撮像システムであって、前記磁気共鳴撮像システムは、
主磁場を発生させるための磁石であって、前記主磁場は均一場区域を有する、磁石と、
撮像域を持つアンテナであって、前記被検者が前記撮像域内に置かれるとき、前記アンテナと前記被検者の前記一部分との間には決まった幾何学的関係がある、アンテナと、
高周波パルスを発生させるための高周波システムであって、前記アンテナを使用し、前記被検者の前記一部分からの高周波信号を測定するように更に動作可能である、高周波システムと、
傾斜磁場を発生させるための傾斜磁場システムと、
前記均一場区域の外側から前記均一場区域内へと前記アンテナ及び前記被検者の前記一部分を移動軸に沿って自動で動かすための患者台と、
機械実行可能命令を含むメモリと、
前記磁気共鳴撮像システムを制御するためのプロセッサとを含み、前記命令を実行することが、
・前記患者台を制御して、前記均一場区域の外側から前記均一場区域内へと前記アンテナ及び前記被検者の前記一部分を前記移動軸に沿って動かすこと、
・前記高周波システムを制御して前記高周波パルスを繰り返し発生させること、
・前記傾斜磁場システムを制御して、前記被検者台の移動中に前記移動軸に沿ってのみ前記傾斜磁場を発生させることであって、前記被検者台の移動中、前記移動軸に沿った前記傾斜磁場が一定傾斜磁場として付与されること、
・前記高周波システムを制御して、前記アンテナを用いて前記被検者の前記一部分からの前記高周波信号を繰り返し測定すること、
・前記高周波信号を使用して前記アンテナ又は前記撮像域の現在位置を突き止めること、及び
・前記現在位置を使用し、前記均一場区域内の所定位置で減速して止まるように前記患者台を制御すること
を前記プロセッサに行わせる、
磁気共鳴撮像システム。
【請求項２】
前記命令を実行することは、前記傾斜磁場システムを制御して、前記現在位置が前記所定位置に近づくとき前記傾斜磁場を所定の速度で強めることを前記プロセッサに更に行わせる、請求項１に記載の磁気共鳴撮像システム。
【請求項３】
前記高周波信号が、前記高周波パルスの前記生成後に始まる自由誘導減衰である、請求項１に記載の磁気共鳴撮像システム。
【請求項４】
前記メモリが、磁気共鳴撮像走査ジオメトリを記述する磁気共鳴計画データを更に含み、前記命令を実行することが、
・前記磁気共鳴撮像システムを制御して前記磁気共鳴撮像走査ジオメトリによって定められる撮像磁気共鳴データを取得すること、及び
・前記撮像磁気共鳴データから磁気共鳴画像を再構築すること
を前記プロセッサに更に行わせる、請求項１乃至３の何れか一項に記載の磁気共鳴撮像システム。
【請求項５】
前記メモリが、スカウト走査パルスシーケンス命令を更に含み、前記磁気共鳴計画データは、前記被検者の解剖学的ランドマークに対する前記磁気共鳴撮像走査ジオメトリを記述し、前記メモリが撮像パルスシーケンス命令を更に含み、
前記命令を実行することが、
・前記磁気共鳴撮像システムを制御して、前記スカウト走査パルスシーケンス命令を使用してスカウト磁気共鳴データを取得すること、
・前記スカウト磁気共鳴データをスカウト磁気共鳴画像へと再構築すること、及び
・前記スカウト磁気共鳴画像内の前記解剖学的ランドマークを識別することによってランドマーク位置データを識別すること
を前記プロセッサに更に行わせる、請求項４に記載の磁気共鳴撮像システム。
【請求項６】
前記命令を実行することが、前記撮像パルスシーケンス命令を修正するため、前記ランドマーク位置データ及び前記磁気共鳴計画データを使用して、前記走査ジオメトリを調節することを前記プロセッサに更に行わせる、請求項４に記載の磁気共鳴撮像システム。
【請求項７】
前記命令を実行することが、
・前記ランドマーク位置データ及び前記磁気共鳴計画データを使用することにより、前記患者台の補正移動を計算すること、及び
・決定された距離動くように前記患者台を制御すること
を前記プロセッサに更に行わせる、請求項５又は６に記載の磁気共鳴撮像システム。
【請求項８】
前記現在位置が前記撮像域の位置を示す、請求項１乃至７の何れか一項に記載の磁気共鳴撮像システム。
【請求項９】
前記高周波パルスが非選択的パルスである、請求項１乃至８の何れか一項に記載の磁気共鳴撮像システム。
【請求項１０】
前記命令を実行することは、前記現在位置が前記所定位置に近づくとき、更に速い速度で且つ／又は更に強い傾斜磁場で高周波パルスを生成することを前記プロセッサに行わせる、請求項１乃至９の何れか一項に記載の磁気共鳴撮像システム。
【請求項１１】
被検者の一部分を撮像するための磁気共鳴撮像システムを動作させる方法であって、前記磁気共鳴撮像システムは、
主磁場を発生させるための磁石であって、前記主磁場は均一場区域を有する、磁石と、
撮像域を持つアンテナであって、前記被検者が前記撮像域内に置かれるとき、前記アンテナと前記被検者の前記一部分との間には決まった幾何学的関係がある、アンテナと、
高周波パルスを発生させるための高周波システムであって、前記アンテナを使用し、前記被検者の前記一部分からの高周波信号を測定するように更に動作可能である、高周波システムと、
傾斜磁場を発生させるための傾斜磁場システムと、
前記均一場区域の外側から前記均一場区域内へと前記アンテナ及び前記被検者の前記一部分を移動軸に沿って自動で動かすための患者台と
を含み、前記方法は、
・前記患者台を制御して、前記均一場区域の外側から前記均一場区域内へと前記アンテナ及び前記被検者の前記一部分を前記移動軸に沿って動かすステップと、
・前記高周波システムを制御して前記高周波パルスを繰り返し発生させるステップと、
・前記傾斜磁場システムを制御して、前記被検者台の移動中に前記移動軸に沿ってのみ前記傾斜磁場を発生させるステップであって、前記被検者台の移動中、前記移動軸に沿った前記傾斜磁場が一定傾斜磁場として付与されるステップと、
・前記高周波システムを制御して、前記アンテナを用いて前記被検者の前記一部分からの前記高周波信号を繰り返し測定するステップと、
・前記高周波信号を使用して前記アンテナ又は前記撮像域の現在位置を突き止めるステップと、
・前記現在位置を使用し、前記均一場区域内の所定位置で減速して止まるように前記患者台を制御するステップと
を含む、方法。
【請求項１２】
被検者の一部分を撮像するための磁気共鳴撮像システムを制御するプロセッサによって実行されるための機械実行可能命令を含むコンピュータプログラムであって、前記磁気共鳴撮像システムは、
主磁場を発生させるための磁石であって、前記主磁場は均一場区域を有する、磁石と、
撮像域を持つアンテナであって、前記被検者が前記撮像域内に置かれるとき、前記アンテナと前記被検者の前記一部分との間には決まった幾何学的関係がある、アンテナと、
高周波パルスを発生させるための高周波システムであって、前記アンテナを使用し、前記被検者の前記一部分からの高周波信号を測定するように更に動作可能である、高周波システムと、
傾斜磁場を発生させるための傾斜磁場システムと、
前記均一場区域の外側から前記均一場区域内へと前記アンテナ及び前記被検者の前記一部分を移動軸に沿って自動で動かすための患者台と
を含み、前記命令を実行することが、
・前記患者台を制御して、前記均一場区域の外側から前記均一場区域内へと前記アンテナ及び前記被検者の前記一部分を前記移動軸に沿って動かすこと、
・前記高周波システムを制御して前記高周波パルスを繰り返し発生させること、
・前記傾斜磁場システムを制御して、前記被検者台の移動中に前記移動軸に沿ってのみ前記傾斜磁場を発生させることであって、前記被検者台の移動中、前記移動軸に沿った前記傾斜磁場が一定傾斜磁場として付与されること、
・前記高周波システムを制御して、前記アンテナを用いて前記被検者の前記一部分からの前記高周波信号を繰り返し測定すること、
・前記高周波信号を使用して前記アンテナ又は前記撮像域の現在位置を突き止めること、及び
・前記現在位置を使用し、前記均一場区域内の所定位置で減速して止まるように前記患者台を制御すること
を前記プロセッサに行わせる、コンピュータプログラム。